(57)【要約】【課題】本発明はピアス除錆装置を開示した。【解決手段】本体を含み、前記本体の中には作動チャンバが設置され、前記作動チャンバの中には駆動装置が設置され、前記駆動装置の右端には巻装置が設置され、前記紙鑢巻き装置の下端には固定装置が連結され、前記作動チャンバの中には除錆剤噴出装置が設置され、前記駆動装置は前記作動チャンバの上側内壁に固定的に設置された固定ブロックを含み、前記固定ブロックの中には歯車チャンバが設置され、前記歯車チャンバの中には回転できる平歯車が上下対称に設置され、本発明の装置は何度でもピアスの錆を除けるだけではなく、紙鑢の取替えも要らなく、除錆済を収集して装置が腐蝕するのを防止できる。【選択図】図１
2020176324.tif 000002
【特許請求の範囲】
【請求項１】
本体を含み、前記本体の中には作動チャンバが設置され、前記作動チャンバの中には駆動装置が設置され、前記駆動装置の右端には巻装置が設置され、前記紙鑢巻き装置の下端には固定装置が連結され、前記作動チャンバの中には除錆剤噴出装置が設置され、前記駆動装置は前記作動チャンバの上側内壁に固定的に設置された固定ブロックを含み、前記固定ブロックの中には歯車チャンバが設置され、前記歯車チャンバの中には回転できる平歯車が上下対称に設置され、前記平歯車のうち前記紙鑢巻き装置に近接した一端には連結軸が固定的に連結され、前記連結軸の右端を前記紙鑢巻き装置に連結でき、前記歯車チャンバの中には主扇形歯車と副扇形歯車とが回転可能に設置され、前記主扇形歯車と前記副扇形歯車はそれぞれ前記平歯車の前後側に位置し且つ前記平歯車と噛み合うことができ、前記主扇形歯車と前記副扇形歯車とのうち前記連結軸から離れた一端にはそれぞれ主回転軸と副回転軸が固定的に連結され、前記主回転軸の左端が前記作動チャンバの中に伸びて主プーリと固定的に連結され、前記副回転軸の左端が前記作動チャンバの中に伸びて副プーリと固定的に連結され、前記主プーリと前記副プーリとの間には同期ベルトがすり合わせられ、前記主プーリのうち前記主回転軸から離れた一端にはモータ軸が固定的に連結され、前記モータ軸の左端にはモータが伝動可能に連結され、前記モータが前記作動チャンバの内壁の中に固定的に設置され、前記主プーリには駆動ベルトがすり合わせられ、前記駆動ベルトの下端が前記固定装置と前記除錆剤噴出装置に連結されていることを特徴とするピアス除錆装置。
【請求項２】
前記紙鑢巻き装置は前記作動チャンバの中にスライド且つ回転可能に設置された上紙鑢輪を含み、前記上紙鑢輪の下側には下紙鑢輪がスライド且つ回転可能に設置され、前記上紙鑢輪と前記下紙鑢輪との中には連結口が前記駆動装置に向かって開口するように設置され、前記連結口が前記連結軸に噛み合えるように連結され、前記上紙鑢輪のうち前記駆動装置から離れた一端には押し棒が固定的に連結され、前記作動チャンバのうち前記上紙鑢輪に近接した側の内壁の中には外方に開口した押し棒チャンバが連通するように設置され、前記押し棒が外部に繋がっており且つ押しブロックと固定的に連結され、前記下紙鑢輪のうち前記駆動装置から離れた一端にはガイドスライドロッドが固定的に連結され、前記作動チャンバのうち前記下紙鑢輪に近接した側の内壁の中には内方に開口したガイドスライドロッドチャンバが連通し合うように設置され、前記ガイドスライドロッドが前記ガイドスライドロッドチャンバの中に伸びており、前記押し棒と前記ガイドスライドロッドとの間には連結棒が回転可能に連結され、前記上紙鑢輪と前記下紙鑢輪との間には紙鑢が周設され、前記紙鑢の下端が前記固定装置に連結されていることを特徴とする請求項１に記載のピアス除錆装置。
【請求項３】
前記固定装置は前記作動チャンバの中に回転可能に設置された中間プーリを含み、前記中間プーリが前記駆動ベルトにすり合わせられ、前記中間プーリの中には噛合軸が固定的に設置され、前記噛合軸の右端には噛合ブロックが噛み合うように連結され、前記噛合ブロックの中には前記噛合軸に向かって開口した噛合穴が設置され、前記噛合軸が前記噛合穴の中に伸びており、前記噛合軸と前記噛合穴の右側の内壁との間には連結ばねが固定的に連結され、前記噛合ブロックの中には前記噛合穴と反対方向に開口した固定溝が設置され、前記固定溝の上下内壁の中には挟みブロックチャンバが連通し合うように対称的に設置され、前記挟みブロックチャンバの中には固定ブロックがスライド可能に設置され、前記挟みブロックの上端と前記固定溝の上下側内壁との間にはそれぞれ第一固定ばねが固定的に連結され、前記固定ばねの間にはピアスがスライド可能に設置され、前記ピアスには前記紙鑢が周設され、前記作動チャンバのうち前記ピアスから離れた側の内壁の中には押しブロックチャンバが連通し合うように設置され、前記押しブロックチャンバの中には押しブロックがスライド可能に設置され、前記押しブロックと前記押しブロックチャンバの右側内壁との間には第二固定ばねが固定的に連結され、前記押しブロックの中には前記ピアスに向かって開口した留穴が設置され、前記ピアスの右端が前記留穴の内壁に当接していることを特徴とする請求項１又は請求項２に記載のピアス除錆装置。
【請求項４】
前記除錆剤噴出装置は前記作動チャンバの下側内壁の中に連通するように設置された下プーリチャンバを含み、前記下プーリチャンバの中には下プーリが回転可能に設置され、前記下プーリが前記駆動ベルトにすり合わせられ、前記下プーリチャンバの右側内壁の中には長回転軸チャンバが連通し合うように設置され、前記長回転軸チャンバの右側内壁の中には曲がりチャンバが連通し合うように設置され、前記下プーリの中には長回転軸が固定的に連結され、前記長回転軸が前記曲がりチャンバの中に伸びて主傘歯車と固定的に連結され、前記主傘歯車の上端には副傘歯車が噛み合うように連結され、前記副傘歯車のうち前記主傘歯車から離れた一端には短軸が固定的に連結され、前記短軸には四枚の羽根が環状に配置されるように固定的に連結され、前記曲がりチャンバの上側内壁の中には連通穴が連通し合うように設置され、前記連通穴が前記作動チャンバに連通し、前記作動チャンバの下側内壁には除錆剤収集ブロックが固定的に設置され、前記除錆剤収集ブロックの中には除錆剤溝が上方に開口するように設置され、前記除錆剤収集溝の下側内壁の中には密封ブロックが固定的に設置され、前記密封ブロックの中には除錆剤案内棒が固定的に設置され、前記除錆剤案内棒の中には除錆剤案内穴が貫通するように設置され、前記短軸の上端が前記除錆剤案内穴の中に伸びており、前記除錆剤案内穴の中には薄膜が固定的に設置され、前記除錆剤案内棒の上端にはノズルが固定的に連結され、前記ノズルの中には噴出口が上方に開口するように設置され、前記除錆剤案内穴が上に前記噴出口に連通していることを特徴とする請求項１又は請求項２又は請求項３に記載のピアス除錆装置。
【請求項５】
前記作動チャンバの前側内壁の中には外方に開口したパネルチャンバが連通し合うように設置され、前記パネルチャンバの中にはパネル軸が回転可能に設置され、前記パネル軸にはパネルが固定的に連結され、前記パネルの上端が前記パネルチャンバの上側内壁に当接しており、前記パネルのうち前記作動チャンバから離れた一端には引きブロックが固定的に連結され、前記パネルと前記パネルチャンバの両側内壁との間にはねじりばねが固定的に連結されていることを特徴とする請求項１に記載のピアス除錆装置。
【発明の詳細な説明】
【技術分野】
【０００１】
本発明はアクセサリー分野に関し、具体的にはピアス除錆装置である。
【背景技術】
【０００２】
ピアスはありふれたアクセサリーであり、ピアスを付ける前に、耳にホールを開ける必要があり、もし長時間の使用後にピアスに錆ができたら、耳の炎症を起こす恐れがあり、そのため、異なったサイズのピアスに対応できる除錆装置は実に必要である。本発明の装置は何回でもピアスの表面にできた錆を落とせるだけではなく、紙鑢の取替えも要らなく、除錆済を収集して装置が腐蝕するのを防止できる。
【先行技術文献】
【特許文献】
【０００３】
【特許文献１】中国特許出願公開第１０５６０３４４３号明細書
【発明の概要】
【発明が解決しようとする課題】
【０００４】
本発明の目的はピアス除錆装置を提供し、既存の技術にある上記の欠陥を補うことにある。
【課題を解決するための手段】
【０００５】
本発明のピアス除錆装置は、本体を含み、前記本体の中には作動チャンバが設置され、前記作動チャンバの中には駆動装置が設置され、前記駆動装置の右端には巻装置が設置され、前記紙鑢巻き装置の下端には固定装置が連結され、前記作動チャンバの中には除錆剤噴出装置が設置され、前記駆動装置は前記作動チャンバの上側内壁に固定的に設置された固定ブロックを含み、前記固定ブロックの中には歯車チャンバが設置され、前記歯車チャンバの中には回転できる平歯車が上下対称に設置され、前記平歯車のうち前記紙鑢巻き装置に近接した一端には連結軸が固定的に連結され、前記連結軸の右端を前記紙鑢巻き装置に連結でき、前記歯車チャンバの中には主扇形歯車と副扇形歯車とが回転可能に設置され、前記主扇形歯車と前記副扇形歯車はそれぞれ前記平歯車の前後側に位置し且つ前記平歯車と噛み合うことができ、前記主扇形歯車と前記副扇形歯車とのうち前記連結軸から離れた一端にはそれぞれ主回転軸と副回転軸が固定的に連結され、前記主回転軸の左端が前記作動チャンバの中に伸びて主プーリと固定的に連結され、前記副回転軸の左端が前記作動チャンバの中に伸びて副プーリと固定的に連結され、前記主プーリと前記副プーリとの間には同期ベルトがすり合わせられ、前記主プーリのうち前記主回転軸から離れた一端にはモータ軸が固定的に連結され、前記モータ軸の左端にはモータが伝動可能に連結され、前記モータが前記作動チャンバの内壁の中に固定的に設置され、前記主プーリには駆動ベルトがすり合わせられ、前記駆動ベルトの下端が前記固定装置と前記除錆剤噴出装置に連結されている。
【０００６】
更の技術プランとして、前記紙鑢巻き装置は前記作動チャンバの中にスライド且つ回転可能に設置された上紙鑢輪を含み、前記上紙鑢輪の下側には下紙鑢輪がスライド且つ回転可能に設置され、前記上紙鑢輪と前記下紙鑢輪との中には連結口が前記駆動装置に向かって開口するように設置され、前記連結口が前記連結軸に噛み合えるように連結され、前記上紙鑢輪のうち前記駆動装置から離れた一端には押し棒が固定的に連結され、前記作動チャンバのうち前記上紙鑢輪に近接した側の内壁の中には外方に開口した押し棒チャンバが連通するように設置され、前記押し棒が外部に繋がっており且つ押しブロックと固定的に連結され、前記下紙鑢輪のうち前記駆動装置から離れた一端にはガイドスライドロッドが固定的に連結され、前記作動チャンバのうち前記下紙鑢輪に近接した側の内壁の中には内方に開口したガイドスライドロッドチャンバが連通し合うように設置され、前記ガイドスライドロッドが前記ガイドスライドロッドチャンバの中に伸びており、前記押し棒と前記ガイドスライドロッドとの間には連結棒が回転可能に連結され、前記上紙鑢輪と前記下紙鑢輪との間には紙鑢が周設され、前記紙鑢の下端が前記固定装置に連結されている。
【０００７】
優先的には、前記固定装置は前記作動チャンバの中に回転可能に設置された中間プーリを含み、前記中間プーリが前記駆動ベルトにすり合わせられ、前記中間プーリの中には噛合軸が固定的に設置され、前記噛合軸の右端には噛合ブロックが噛み合うように連結され、前記噛合ブロックの中には前記噛合軸に向かって開口した噛合穴が設置され、前記噛合軸が前記噛合穴の中に伸びており、前記噛合軸と前記噛合穴の右側の内壁との間には連結ばねが固定的に連結され、前記噛合ブロックの中には前記噛合穴と反対方向に開口した固定溝が設置され、前記固定溝の上下内壁の中には挟みブロックチャンバが連通し合うように対称的に設置され、前記挟みブロックチャンバの中には固定ブロックがスライド可能に設置され、前記挟みブロックの上端と前記固定溝の上下側内壁との間にはそれぞれ第一固定ばねが固定的に連結され、前記固定ばねの間にはピアスがスライド可能に設置され、前記ピアスには前記紙鑢が周設され、前記作動チャンバのうち前記ピアスから離れた側の内壁の中には押しブロックチャンバが連通し合うように設置され、前記押しブロックチャンバの中には押しブロックがスライド可能に設置され、前記押しブロックと前記押しブロックチャンバの右側内壁との間には第二固定ばねが固定的に連結され、前記押しブロックの中には前記ピアスに向かって開口した留穴が設置され、前記ピアスの右端が前記留穴の内壁に当接している。
【０００８】
優先的には、前記除錆剤噴出装置は前記作動チャンバの下側内壁の中に連通するように設置された下プーリチャンバを含み、前記下プーリチャンバの中には下プーリが回転可能に設置され、前記下プーリが前記駆動ベルトにすり合わせられ、前記下プーリチャンバの右側内壁の中には長回転軸チャンバが連通し合うように設置され、前記長回転軸チャンバの右側内壁の中には曲がりチャンバが連通し合うように設置され、前記下プーリの中には長回転軸が固定的に連結され、前記長回転軸が前記曲がりチャンバの中に伸びて主傘歯車と固定的に連結され、前記主傘歯車の上端には副傘歯車が噛み合うように連結され、前記副傘歯車のうち前記主傘歯車から離れた一端には短軸が固定的に連結され、前記短軸には四枚の羽根が環状に配置されるように固定的に連結され、前記曲がりチャンバの上側内壁の中には連通穴が連通し合うように設置され、前記連通穴が前記作動チャンバに連通し、前記作動チャンバの下側内壁には除錆剤収集ブロックが固定的に設置され、前記除錆剤収集ブロックの中には除錆剤溝が上方に開口するように設置され、前記除錆剤収集溝の下側内壁の中には密封ブロックが固定的に設置され、前記密封ブロックの中には除錆剤案内棒が固定的に設置され、前記除錆剤案内棒の中には除錆剤案内穴が貫通するように設置され、前記短軸の上端が前記除錆剤案内穴の中に伸びており、前記除錆剤案内穴の中には薄膜が固定的に設置され、前記除錆剤案内棒の上端にはノズルが固定的に連結され、前記ノズルの中には噴出口が上方に開口するように設置され、前記除錆剤案内穴が上に前記噴出口に連通している。
【０００９】
優先的には、前記作動チャンバの前側内壁の中には外方に開口したパネルチャンバが連通し合うように設置され、前記パネルチャンバの中にはパネル軸が回転可能に設置され、前記パネル軸にはパネルが固定的に連結され、前記パネルの上端が前記パネルチャンバの上側内壁に当接しており、前記パネルのうち前記作動チャンバから離れた一端には引きブロックが固定的に連結され、前記パネルと前記パネルチャンバの両側内壁との間にはねじりばねが固定的に連結されている。
【発明の効果】
【００１０】
有益効果：ピアスの錆を落とす時、ピアスを固定してから除錆剤を入れ、装置を起動した後除錆剤をピアスの表面に吹いて紙鑢によりピアスを摩擦して錆を落とせる。本発明の装置は何度でもピアスの錆を除けるだけではなく、紙鑢の取替えも要らなく、除錆済を収集して装置が腐蝕するのを防止できる。
【図面の簡単な説明】
【００１１】
【図１】図１は本発明のピアス除錆装置の内部構造略図
【図２】図２は図１における「Ａ−Ａ」方向の構造略図
【図３】図３は図１における「Ｂ−Ｂ」方向の構造略図
【図４】図４は図１における「Ｃ−Ｃ」方向の構造略図
【図５】図５は図１における「Ｄ」の拡大略図
【図６】図６は図２における「Ｅ−Ｅ」方向の構造略図
【発明を実施するための形態】
【００１２】
下記に図１〜６をあわせて本発明について詳しく説明し、便利に説明するために、下記の方向を以下のように規定する：以下に述べる上下左右前後の方向と図１の自身投影関係の上下左右前後の方向とが一致である。
【００１３】
図１〜６を参照し、本発明のピアス除錆装置は、本体１１を含み、前記本体１１の中には作動チャンバ５０が設置され、前記作動チャンバの中には駆動装置１００が設置され、前記駆動装置１００の右端には巻装置１０１が設置され、前記紙鑢巻き装置１０１の下端には固定装置１０２が連結され、前記作動チャンバ５０の中には除錆剤噴出装置１０３が設置され、前記駆動装置１００は前記作動チャンバ５０の上側内壁に固定的に設置された固定ブロック１９を含み、前記固定ブロック１９の中には歯車チャンバ２０が設置され、前記歯車チャンバ２０の中には回転できる平歯車２２が上下対称に設置され、前記平歯車２２のうち前記紙鑢巻き装置１０１に近接した一端には連結軸２４が固定的に連結され、前記連結軸２４の右端を前記紙鑢巻き装置１０１に連結でき、前記歯車チャンバ２０の中には主扇形歯車２１と副扇形歯車６２とが回転可能に設置され、前記主扇形歯車２１と前記副扇形歯車６２はそれぞれ前記平歯車２２の前後側に位置し且つ前記平歯車２２と噛み合うことができ、前記主扇形歯車２１と前記副扇形歯車６２とのうち前記連結軸２４から離れた一端にはそれぞれ主回転軸１８と副回転軸６３が固定的に連結され、前記主回転軸１８の左端が前記作動チャンバ５０の中に伸びて主プーリ１４と固定的に連結され、前記副回転軸６３の左端が前記作動チャンバ５０の中に伸びて副プーリ６４と固定的に連結され、前記主プーリ１４と前記副プーリ６４との間には同期ベルト１７がすり合わせられ、前記主プーリ１４のうち前記主回転軸１８から離れた一端にはモータ軸１３が固定的に連結され、前記モータ軸１３の左端にはモータ１２が伝動可能に連結され、前記モータ１２が前記作動チャンバ５０の内壁の中に固定的に設置され、前記主プーリ１４には駆動ベルト１５がすり合わせられ、前記駆動ベルト１５の下端が前記固定装置１０２と前記除錆剤噴出装置１０３に連結されている。
【００１４】
有益的には、前記紙鑢巻き装置１０１は前記作動チャンバ５０の中にスライド且つ回転可能に設置された上紙鑢輪２７を含み、前記上紙鑢輪２７の下側には下紙鑢輪２９がスライド且つ回転可能に設置され、前記上紙鑢輪２７と前記下紙鑢輪２９との中には連結口２６が前記駆動装置１００に向かって開口するように設置され、前記連結口２６が前記連結軸２４に噛み合えるように連結され、前記上紙鑢輪２７のうち前記駆動装置１００から離れた一端には押し棒３２が固定的に連結され、前記作動チャンバ５０のうち前記上紙鑢輪２７に近接した側の内壁の中には外方に開口した押し棒チャンバ３３が連通するように設置され、前記押し棒３２が外部に繋がっており且つ押しブロック３４と固定的に連結され、前記下紙鑢輪２９のうち前記駆動装置１００から離れた一端にはガイドスライドロッド３５が固定的に連結され、前記作動チャンバ５０のうち前記下紙鑢輪２９に近接した側の内壁の中には内方に開口したガイドスライドロッドチャンバ３６が連通し合うように設置され、前記ガイドスライドロッド３５が前記ガイドスライドロッドチャンバ３６の中に伸びており、前記押し棒３２と前記ガイドスライドロッド３５との間には連結棒３１が回転可能に連結され、前記上紙鑢輪２７と前記下紙鑢輪２９との間には紙鑢３０が周設され、前記紙鑢３０の下端が前記固定装置１０２に連結されている。
【００１５】
有益的には、前記固定装置１０２は前記作動チャンバ５０の中に回転可能に設置された中間プーリ１６を含み、前記中間プーリ１６が前記駆動ベルト１５にすり合わせられ、前記中間プーリ１６の中には噛合軸３７が固定的に設置され、前記噛合軸３７の右端には噛合ブロック３８が噛み合うように連結され、前記噛合ブロック３８の中には前記噛合軸３７に向かって開口した噛合穴３９が設置され、前記噛合軸３７が前記噛合穴３９の中に伸びており、前記噛合軸３７と前記噛合穴３９の右側の内壁との間には連結ばね４０が固定的に連結され、前記噛合ブロック３８の中には前記噛合穴３９と反対方向に開口した固定溝４１が設置され、前記固定溝４１の上下内壁の中には挟みブロックチャンバ４４が連通し合うように対称的に設置され、前記挟みブロックチャンバ４４の中には固定ブロック４２がスライド可能に設置され、前記挟みブロック４２の上端と前記固定溝４１の上下側内壁との間にはそれぞれ第一固定ばね４３が固定的に連結され、前記固定ばね４２の間にはピアス４５がスライド可能に設置され、前記ピアス４５には前記紙鑢３０が周設され、前記作動チャンバ５０のうち前記ピアス４５から離れた側の内壁の中には押しブロックチャンバ５４が連通し合うように設置され、前記押しブロックチャンバ５４の中には押しブロック５６がスライド可能に設置され、前記押しブロック５６と前記押しブロックチャンバ５４の右側内壁との間には第二固定ばね５５が固定的に連結され、前記押しブロック５６の中には前記ピアス４５に向かって開口した留穴５７が設置され、前記ピアス４５の右端が前記留穴５７の内壁に当接している。
【００１６】
有益的には、前記除錆剤噴出装置１０３は前記作動チャンバ５０の下側内壁の中に連通するように設置された下プーリチャンバ４６を含み、前記下プーリチャンバ４６の中には下プーリ４７が回転可能に設置され、前記下プーリ４７が前記駆動ベルト１５にすり合わせられ、前記下プーリチャンバ４６の右側内壁の中には長回転軸チャンバ４９が連通し合うように設置され、前記長回転軸チャンバ４９の右側内壁の中には曲がりチャンバ５１が連通し合うように設置され、前記下プーリ４７の中には長回転軸４８が固定的に連結され、前記長回転軸４８が前記曲がりチャンバ５１の中に伸びて主傘歯車５２と固定的に連結され、前記主傘歯車５２の上端には副傘歯車５３が噛み合うように連結され、前記副傘歯車５３のうち前記主傘歯車５２から離れた一端には短軸６８が固定的に連結され、前記短軸６８には四枚の羽根６９が環状に配置されるように固定的に連結され、前記曲がりチャンバ５１の上側内壁の中には連通穴６５が連通し合うように設置され、前記連通穴６５が前記作動チャンバ５０に連通し、前記作動チャンバ５０の下側内壁には除錆剤収集ブロック６６が固定的に設置され、前記除錆剤収集ブロック６６の中には除錆剤溝６７が上方に開口するように設置され、前記除錆剤収集溝６７の下側内壁の中には密封ブロック７３が固定的に設置され、前記密封ブロック７３の中には除錆剤案内棒７０が固定的に設置され、前記除錆剤案内棒７０の中には除錆剤案内穴７１が貫通するように設置され、前記短軸６８の上端が前記除錆剤案内穴７１の中に伸びており、前記除錆剤案内穴７１の中には薄膜７２が固定的に設置され、前記除錆剤案内棒７０の上端にはノズル７４が固定的に連結され、前記ノズル７４の中には噴出口７５が上方に開口するように設置され、前記除錆剤案内穴７１が上に前記噴出口７５に連通している。
【００１７】
有益的には、前記作動チャンバ５０の前側内壁の中には外方に開口したパネルチャンバ５８が連通し合うように設置され、前記パネルチャンバ５８の中にはパネル軸６１が回転可能に設置され、前記パネル軸６１にはパネル５９が固定的に連結され、前記パネル５９の上端が前記パネルチャンバ５８の上側内壁に当接しており、前記パネル５９のうち前記作動チャンバ５０から離れた一端には引きブロック６０が固定的に連結され、前記パネル５９と前記パネルチャンバ５８の両側内壁との間にはねじりばね７６が固定的に連結されている。
【００１８】
ピアスの錆を落とすとき、ピアス４５の一端を挟みブロック４２の間に固定し、第一固定ばね４３によってきつく挟み、同時に紙鑢３０をピアス４５に巻き付け、押しブロック５６によりピアス４５を止めてピアス４５が落ちるのを防止し、噴出口７５の中に除錆剤を入れた後作動チャンバ５０を閉め、押しブロック３４を押して上紙鑢輪２７と下紙鑢輪２９とを連結軸２４に連結し、モータ１２を起動することで、主プーリ１４と副プーリ６４によって主扇形歯車２１と副扇形歯車６２を連動させて同じ方向に回転させ、更に平歯車２２を周期的に正反方向交替に回転連動させ、そして上紙鑢輪２７と下紙鑢輪２９を周期的に正反方向交替に回転連動させ、さらにピアス４５の表面を紙鑢３０で摩擦すると同時に、駆動ベルト１５によって中間プーリ１６を回転連動させ、それにより噛合軸３７と噛合ブロック３８とによってピアス４５を回転連動させ、ピアス４５の表面と紙鑢３０とを充分に摩擦すると同時に、駆動ベルト１５によって下プーリ４７を回転連動させ、それにより長回転軸４８により歯車伝動を駆動して短軸６８を回転連動させ、更に羽根６９により除錆剤をピアス４５に吹いて洗浄や錆落としを行い、錆落としが終わった後モータ１２の回転を止め、引きブロック６０を引いて作動チャンバ５０を開き、噛合ブロック３８を押してピアス４５を連動させて紙鑢３０から離れさせると、押しブロック５６が第二固定ばね５５の弾力の作用によって紙鑢３０に連結され、この時ピアス４５を取り外せ、押しブロック３４を引き動かして上紙鑢輪２７と下紙鑢輪２９とを連結軸２４から離れさせ、押しブロック３４を回転させ、上紙鑢輪２７を回転連動させて紙鑢３０の使った部分を下紙鑢輪２９に巻く。
【００１９】
有益効果：ピアスの錆を落とす時、ピアスを固定してから除錆剤を入れ、装置を起動した後除錆剤をピアスの表面に吹いて紙鑢によりピアスを摩擦して錆を落とせる。本発明の装置は何度でもピアスの錆を除けるだけではなく、紙鑢の取替えも要らなく、除錆済を収集して装置が腐蝕するのを防止できる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020176324.tif 000003
【図２】
2020176324.tif 000004
【図３】
2020176324.tif 000005
【図４】
2020176324.tif 000006
【図５】
2020176324.tif 000007
【図６】
2020176324.tif 000008
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
正面視で右側に押しブロックを有するピアス除錆装置であって、本体を含み、前記本体の中には作動チャンバが設置され、前記作動チャンバの中には駆動装置が設置され、前記駆動装置の右端には紙鑢巻き装置が設置され、前記紙鑢巻き装置の下端には固定装置が連結され、前記作動チャンバの中には除錆剤噴出装置が設置され、前記駆動装置は前記作動チャンバの上側内壁に固定的に設置された固定ブロックを含み、前記固定ブロックの中には歯車チャンバが設置され、前記歯車チャンバの中には回転できる平歯車が前記歯車チャンバの中心を対称中心として上下対称に設置され、前記平歯車のうち前記紙鑢巻き装置に近接した一端には連結軸が固定的に連結され、前記連結軸の右端を前記紙鑢巻き装置に連結でき、前記歯車チャンバの中には主扇形歯車と副扇形歯車とが回転可能に設置され、前記主扇形歯車と前記副扇形歯車はそれぞれ前記平歯車の前後側に位置し且つ前記平歯車と噛み合うことができ、前記主扇形歯車と前記副扇形歯車とのうち前記連結軸から離れた一端にはそれぞれ主回転軸と副回転軸が固定され、前記主回転軸の左端が前記作動チャンバの中に伸びて主プーリと固定的に連結され、前記副回転軸の左端が前記作動チャンバの中に伸びて副プーリと固定的に連結され、前記主プーリと前記副プーリとの間には同期ベルトがすり合わせられ、前記主プーリのうち前記主回転軸から離れた一端にはモータ軸が固定的に連結され、前記モータ軸の左端にはモータが伝動可能に連結され、前記モータが前記作動チャンバの内壁の中に固定的に設置され、前記主プーリには駆動ベルトが摩擦力により連結され、前記駆動ベルトの下端が前記固定装置と前記除錆剤噴出装置に連結され、
前記紙鑢巻き装置は前記作動チャンバの中にスライド且つ回転可能に設置された上紙鑢輪を含み、前記上紙鑢輪の下側には下紙鑢輪がスライド且つ回転可能に設置され、前記上紙鑢輪と前記下紙鑢輪との中には連結口が設けられ、前記連結口は前記駆動装置に向いており、前記連結口が前記連結軸に噛み合えるように連結され、前記上紙鑢輪のうち前記駆動装置から離れた一端には押し棒が固定的に連結され、前記作動チャンバのうち前記上紙鑢輪に近接した側の内壁の中には外方に開口した押し棒チャンバが連通するように設置され、前記押し棒が外部に繋がっており且つ押しブロックと固定的に連結され、前記下紙鑢輪のうち前記駆動装置から離れた一端にはガイドスライドロッドが固定的に連結され、前記作動チャンバのうち前記下紙鑢輪に近接した側の内壁の中には内方に開口したガイドスライドロッドチャンバが連通し合うように設置され、前記ガイドスライドロッドが前記ガイドスライドロッドチャンバの中に伸びており、前記押し棒と前記ガイドスライドロッドとの間には連結棒が回転可能に連結され、前記上紙鑢輪と前記下紙鑢輪との間には紙鑢が周設され、前記紙鑢の下端が前記固定装置に連結され、
前記固定装置は前記作動チャンバの中に回転可能に設置された中間プーリを含み、前記中間プーリが前記駆動ベルトにすり合わせられ、前記中間プーリの中には噛合軸が固定的に設置され、前記噛合軸の右端には噛合ブロックが噛み合うように連結され、前記噛合ブロックの中には前記噛合軸に向かって開口した噛合穴が設置され、前記噛合軸が前記噛合穴の中に伸びており、前記噛合軸と前記噛合穴の右側の内壁との間には連結ばねが固定的に連結され、前記噛合ブロックの中には前記噛合穴と反対方向に開口した固定溝が設置され、前記固定溝の上下内壁の中には挟みブロックチャンバが連通し合うように対称的に設置され、前記挟みブロックチャンバの中には固定ブロックがスライド可能に設置され、前記挟みブロックの上端と前記固定溝の上下側内壁との間にはそれぞれ第一固定ばねが固定的に連結され、前記挟みブロックの間にはピアスがスライド可能に設置され、前記ピアスには前記紙鑢が巻かれており、前記作動チャンバにおいて前記ピアスから離れた側には押しブロックチャンバが設けられ、前記作動チャンバが前記押しブロックチャンバと連通しており、前記押しブロックチャンバの中には押しブロックがスライド可能に設置され、前記押しブロックと前記押しブロックチャンバの右側内壁との間には第二固定ばねが固定的に連結され、前記押しブロックの中には留穴が設置され、前記留穴が前記ピアスに向いており、前記ピアスの右端が前記留穴と当接しており、
前記除錆剤噴出装置は前記作動チャンバの下側内壁の中に連通するように設置された下プーリチャンバを含み、前記下プーリチャンバの中には下プーリが回転可能に設置され、前記下プーリが前記駆動ベルトにすり合わせられ、前記下プーリチャンバの右側内壁の中には長回転軸チャンバが連通し合うように設置され、前記長回転軸チャンバの右側内壁の中には曲がりチャンバが連通し合うように設置され、前記下プーリの中には長回転軸が固定的に連結され、前記長回転軸が前記曲がりチャンバの中に伸びて主傘歯車と固定的に連結され、前記主傘歯車の上端には副傘歯車が噛み合うように連結され、前記副傘歯車のうち前記主傘歯車から離れた一端には短軸が固定的に連結され、前記短軸には四枚の羽根が環状に配置されるように固定的に連結され、前記曲がりチャンバの上側内壁の中には連通穴が連通し合うように設置され、前記連通穴が前記作動チャンバに連通し、前記作動チャンバの下側内壁には除錆剤収集ブロックが固定的に設置され、前記除錆剤収集ブロックの中には除錆剤溝が上方に開口するように設置され、前記除錆剤溝の下側内壁の中には密封ブロックが固定的に設置され、前記密封ブロックの中には除錆剤案内棒が固定的に設置され、前記除錆剤案内棒の中には除錆剤案内穴が貫通するように設置され、前記短軸の上端が前記除錆剤案内穴の中に伸びており、前記除錆剤案内穴の中には薄膜が固定的に設置され、前記除錆剤案内棒の上端にはノズルが固定的に連結され、前記ノズルの中には噴出口が上方に開口するように設置され、前記除錆剤案内穴が上に前記噴出口に連通していることを特徴とするピアス除錆装置。
【請求項２】
前記作動チャンバの前側内壁の中には外方に開口したパネルチャンバが連通し合うように設置され、前記パネルチャンバの中にはパネル軸が回転可能に設置され、前記パネル軸にはパネルが固定的に連結され、前記パネルの上端が前記パネルチャンバの上側内壁に当接しており、前記パネルのうち前記作動チャンバから離れた一端には引きブロックが固定的に連結され、前記パネルと前記パネルチャンバの両側内壁との間にはねじりばねが固定的に連結されていることを特徴とする請求項１に記載のピアス除錆装置。
【手続補正２】
【補正対象書類名】明細書
【補正対象項目名】全文
【補正方法】変更
【補正の内容】
【発明の詳細な説明】
【技術分野】
【０００１】
本発明はアクセサリー分野に関し、具体的にはピアス除錆装置である。
【背景技術】
【０００２】
ピアスはありふれたアクセサリーであり、ピアスを付ける前に、耳にホールを開ける必要があり、もし長時間の使用後にピアスに錆ができたら、耳の炎症を起こす恐れがあり、そのため、異なったサイズのピアスに対応できる除錆装置は実に必要である。本発明の装置は何回でもピアスの表面にできた錆を落とせるだけではなく、紙鑢の取替えも要らない。
【先行技術文献】
【特許文献】
【０００３】
【特許文献１】中国特許出願公開第１０５６０３４４３号明細書
【発明の概要】
【発明が解決しようとする課題】
【０００４】
本発明の目的はピアス除錆装置を提供し、既存の技術にある上記の欠陥を補うことにある。
【課題を解決するための手段】
【０００５】
本発明のピアス除錆装置は、本体を含み、前記本体の中には作動チャンバが設置され、前記作動チャンバの中には駆動装置が設置され、前記駆動装置の右端には紙鑢巻き装置が設置され、前記紙鑢巻き装置の下端には固定装置が連結され、前記作動チャンバの中には除錆剤噴出装置が設置され、前記駆動装置は前記作動チャンバの上側内壁に固定的に設置された固定ブロックを含み、前記固定ブロックの中には歯車チャンバが設置され、前記歯車チャンバの中には回転できる平歯車が前記歯車チャンバの中心を対称中心として上下対称に設置され、前記平歯車のうち前記紙鑢巻き装置に近接した一端には連結軸が固定的に連結され、前記連結軸の右端を前記紙鑢巻き装置に連結でき、前記歯車チャンバの中には主扇形歯車と副扇形歯車とが回転可能に設置され、前記主扇形歯車と前記副扇形歯車はそれぞれ前記平歯車の前後側に位置し且つ前記平歯車と噛み合うことができ、前記主扇形歯車と前記副扇形歯車とのうち前記連結軸から離れた一端にはそれぞれ主回転軸と副回転軸が固定され、前記主回転軸の左端が前記作動チャンバの中に伸びて主プーリと固定的に連結され、前記副回転軸の左端が前記作動チャンバの中に伸びて副プーリと固定的に連結され、前記主プーリと前記副プーリとの間には同期ベルトがすり合わせられ、前記主プーリのうち前記主回転軸から離れた一端にはモータ軸が固定的に連結され、前記モータ軸の左端にはモータが伝動可能に連結され、前記モータが前記作動チャンバの内壁の中に固定的に設置され、前記主プーリには駆動ベルトが摩擦力により連結され、前記駆動ベルトの下端が前記固定装置と前記除錆剤噴出装置に連結されている。
【０００６】
更の技術プランとして、前記紙鑢巻き装置は前記作動チャンバの中にスライド且つ回転可能に設置された上紙鑢輪を含み、前記上紙鑢輪の下側には下紙鑢輪がスライド且つ回転可能に設置され、前記上紙鑢輪と前記下紙鑢輪との中には連結口が設けられ、前記連結口は前記駆動装置に向いており、前記連結口が前記連結軸に噛み合えるように連結され、前記上紙鑢輪のうち前記駆動装置から離れた一端には押し棒が固定的に連結され、前記作動チャンバのうち前記上紙鑢輪に近接した側の内壁の中には外方に開口した押し棒チャンバが連通するように設置され、前記押し棒が外部に繋がっており且つ押しブロックと固定的に連結され、前記下紙鑢輪のうち前記駆動装置から離れた一端にはガイドスライドロッドが固定的に連結され、前記作動チャンバのうち前記下紙鑢輪に近接した側の内壁の中には内方に開口したガイドスライドロッドチャンバが連通し合うように設置され、前記ガイドスライドロッドが前記ガイドスライドロッドチャンバの中に伸びており、前記押し棒と前記ガイドスライドロッドとの間には連結棒が回転可能に連結され、前記上紙鑢輪と前記下紙鑢輪との間には紙鑢が周設され、前記紙鑢の下端が前記固定装置に連結されている。
【０００７】
優先的には、前記固定装置は前記作動チャンバの中に回転可能に設置された中間プーリを含み、前記中間プーリが前記駆動ベルトにすり合わせられ、前記中間プーリの中には噛合軸が固定的に設置され、前記噛合軸の右端には噛合ブロックが噛み合うように連結され、前記噛合ブロックの中には前記噛合軸に向かって開口した噛合穴が設置され、前記噛合軸が前記噛合穴の中に伸びており、前記噛合軸と前記噛合穴の右側の内壁との間には連結ばねが固定的に連結され、前記噛合ブロックの中には前記噛合穴と反対方向に開口した固定溝が設置され、前記固定溝の上下内壁の中には挟みブロックチャンバが連通し合うように対称的に設置され、前記挟みブロックチャンバの中には固定ブロックがスライド可能に設置され、前記挟みブロックの上端と前記固定溝の上下側内壁との間にはそれぞれ第一固定ばねが固定的に連結され、前記挟みブロックの間にはピアスがスライド可能に設置され、前記ピアスには前記紙鑢が巻かれており、前記作動チャンバにおいて前記ピアスから離れた側には押しブロックチャンバが設けられ、前記作動チャンバが前記押しブロックチャンバと連通しており、前記押しブロックチャンバの中には押しブロックがスライド可能に設置され、前記押しブロックと前記押しブロックチャンバの右側内壁との間には第二固定ばねが固定的に連結され、前記押しブロックの中には留穴が設置され、前記留穴が前記ピアスに向いており、前記ピアスの右端が前記留穴と当接している。
【０００８】
優先的には、前記除錆剤噴出装置は前記作動チャンバの下側内壁の中に連通するように設置された下プーリチャンバを含み、前記下プーリチャンバの中には下プーリが回転可能に設置され、前記下プーリが前記駆動ベルトにすり合わせられ、前記下プーリチャンバの右側内壁の中には長回転軸チャンバが連通し合うように設置され、前記長回転軸チャンバの右側内壁の中には曲がりチャンバが連通し合うように設置され、前記下プーリの中には長回転軸が固定的に連結され、前記長回転軸が前記曲がりチャンバの中に伸びて主傘歯車と固定的に連結され、前記主傘歯車の上端には副傘歯車が噛み合うように連結され、前記副傘歯車のうち前記主傘歯車から離れた一端には短軸が固定的に連結され、前記短軸には四枚の羽根が環状に配置されるように固定的に連結され、前記曲がりチャンバの上側内壁の中には連通穴が連通し合うように設置され、前記連通穴が前記作動チャンバに連通し、前記作動チャンバの下側内壁には除錆剤収集ブロックが固定的に設置され、前記除錆剤収集ブロックの中には除錆剤溝が上方に開口するように設置され、前記除錆剤溝の下側内壁の中には密封ブロックが固定的に設置され、前記密封ブロックの中には除錆剤案内棒が固定的に設置され、前記除錆剤案内棒の中には除錆剤案内穴が貫通するように設置され、前記短軸の上端が前記除錆剤案内穴の中に伸びており、前記除錆剤案内穴の中には薄膜が固定的に設置され、前記除錆剤案内棒の上端にはノズルが固定的に連結され、前記ノズルの中には噴出口が上方に開口するように設置され、前記除錆剤案内穴が上に前記噴出口に連通している。
【０００９】
優先的には、前記作動チャンバの前側内壁の中には外方に開口したパネルチャンバが連通し合うように設置され、前記パネルチャンバの中にはパネル軸が回転可能に設置され、前記パネル軸にはパネルが固定的に連結され、前記パネルの上端が前記パネルチャンバの上側内壁に当接しており、前記パネルのうち前記作動チャンバから離れた一端には引きブロックが固定的に連結され、前記パネルと前記パネルチャンバの両側内壁との間にはねじりばねが固定的に連結されている。
【発明の効果】
【００１０】
有益効果：ピアスの錆を落とす時、ピアスを固定してから除錆剤を入れ、装置を起動した後除錆剤をピアスの表面に吹いて紙鑢によりピアスを摩擦して錆を落とせる。本発明の装置は何度でもピアスの錆を除けるだけではなく、紙鑢の取替えも要らない。
【図面の簡単な説明】
【００１１】
【図１】図１は本発明のピアス除錆装置の内部構造略図
【図２】図２は図１における「Ａ−Ａ」方向の構造略図
【図３】図３は図１における「Ｂ−Ｂ」方向の構造略図
【図４】図４は図１における「Ｃ−Ｃ」方向の構造略図
【図５】図５は図１における「Ｄ」の拡大略図
【図６】図６は図２における「Ｅ−Ｅ」方向の構造略図
【発明を実施するための形態】
【００１２】
下記に図１〜６をあわせて本発明について詳しく説明し、便利に説明するために、下記の方向を以下のように規定する：以下に述べる上下左右前後の方向と図１の自身投影関係の上下左右前後の方向とが一致である。
【００１３】
図１〜６を参照し、本発明のピアス除錆装置は、本体１１を含み、前記本体１１の中には作動チャンバ５０が設置され、前記作動チャンバの中には駆動装置１００が設置され、前記駆動装置１００の右端には紙鑢巻き装置１０１が設置され、前記紙鑢巻き装置１０１の下端には固定装置１０２が連結され、前記作動チャンバ５０の中には除錆剤噴出装置１０３が設置され、前記駆動装置１００は前記作動チャンバ５０の上側内壁に固定的に設置された固定ブロック１９を含み、前記固定ブロック１９の中には歯車チャンバ２０が設置され、前記歯車チャンバ２０の中には回転できる平歯車２２が前記歯車チャンバ２０の中心を対称中心として上下対称に設置され、前記平歯車２２のうち前記紙鑢巻き装置１０１に近接した一端には連結軸２４が固定的に連結され、前記連結軸２４の右端を前記紙鑢巻き装置１０１に連結でき、前記歯車チャンバ２０の中には主扇形歯車２１と副扇形歯車６２とが回転可能に設置され、前記主扇形歯車２１と前記副扇形歯車６２はそれぞれ前記平歯車２２の前後側に位置し且つ前記平歯車２２と噛み合うことができ、前記主扇形歯車２１と前記副扇形歯車６２とのうち前記連結軸２４から離れた一端にはそれぞれ主回転軸１８と副回転軸６３が固定され、前記主回転軸１８の左端が前記作動チャンバ５０の中に伸びて主プーリ１４と固定的に連結され、前記副回転軸６３の左端が前記作動チャンバ５０の中に伸びて副プーリ６４と固定的に連結され、前記主プーリ１４と前記副プーリ６４との間には同期ベルト１７がすり合わせられ、前記主プーリ１４のうち前記主回転軸１８から離れた一端にはモータ軸１３が固定的に連結され、前記モータ軸１３の左端にはモータ１２が伝動可能に連結され、前記モータ１２が前記作動チャンバ５０の内壁の中に固定的に設置され、前記主プーリ１４には駆動ベルト１５が摩擦力により連結され、前記駆動ベルト１５の下端が前記固定装置１０２と前記除錆剤噴出装置１０３に連結されている。
【００１４】
有益的には、前記紙鑢巻き装置１０１は前記作動チャンバ５０の中にスライド且つ回転可能に設置された上紙鑢輪２７を含み、前記上紙鑢輪２７の下側には下紙鑢輪２９がスライド且つ回転可能に設置され、前記上紙鑢輪２７と前記下紙鑢輪２９との中には連結口２６が設けられ、前記連結口２６は前記駆動装置１００に向いており、前記連結口２６が前記連結軸２４に噛み合えるように連結され、前記上紙鑢輪２７のうち前記駆動装置１００から離れた一端には押し棒３２が固定的に連結され、前記作動チャンバ５０のうち前記上紙鑢輪２７に近接した側の内壁の中には外方に開口した押し棒チャンバ３３が連通するように設置され、前記押し棒３２が外部に繋がっており且つ押しブロック３４と固定的に連結され、前記下紙鑢輪２９のうち前記駆動装置１００から離れた一端にはガイドスライドロッド３５が固定的に連結され、前記作動チャンバ５０のうち前記下紙鑢輪２９に近接した側の内壁の中には内方に開口したガイドスライドロッドチャンバ３６が連通し合うように設置され、前記ガイドスライドロッド３５が前記ガイドスライドロッドチャンバ３６の中に伸びており、前記押し棒３２と前記ガイドスライドロッド３５との間には連結棒３１が回転可能に連結され、前記上紙鑢輪２７と前記下紙鑢輪２９との間には紙鑢３０が周設され、前記紙鑢３０の下端が前記固定装置１０２に連結されている。
【００１５】
有益的には、前記固定装置１０２は前記作動チャンバ５０の中に回転可能に設置された中間プーリ１６を含み、前記中間プーリ１６が前記駆動ベルト１５にすり合わせられ、前記中間プーリ１６の中には噛合軸３７が固定的に設置され、前記噛合軸３７の右端には噛合ブロック３８が噛み合うように連結され、前記噛合ブロック３８の中には前記噛合軸３７に向かって開口した噛合穴３９が設置され、前記噛合軸３７が前記噛合穴３９の中に伸びており、前記噛合軸３７と前記噛合穴３９の右側の内壁との間には連結ばね４０が固定的に連結され、前記噛合ブロック３８の中には前記噛合穴３９と反対方向に開口した固定溝４１が設置され、前記固定溝４１の上下内壁の中には挟みブロックチャンバ４４が連通し合うように対称的に設置され、前記挟みブロックチャンバ４４の中には固定ブロック４２がスライド可能に設置され、前記挟みブロック４２の上端と前記固定溝４１の上下側内壁との間にはそれぞれ第一固定ばね４３が固定的に連結され、前記挟みブロック４２の間にはピアス４５がスライド可能に設置され、前記ピアス４５には前記紙鑢３０が巻かれており、前記作動チャンバ５０において前記ピアス４５から離れた側には押しブロックチャンバ５４が設けられ、前記作動チャンバ５０が前記押しブロックチャンバ５４と連通しており、前記押しブロックチャンバ５４の中には押しブロック５６がスライド可能に設置され、前記押しブロック５６と前記押しブロックチャンバ５４の右側内壁との間には第二固定ばね５５が固定的に連結され、前記押しブロック５６の中には留穴５７が設置され、前記留穴５７が前記ピアス４５に向いており、前記ピアス４５の右端が前記留穴５７と当接している。
【００１６】
有益的には、前記除錆剤噴出装置１０３は前記作動チャンバ５０の下側内壁の中に連通するように設置された下プーリチャンバ４６を含み、前記下プーリチャンバ４６の中には下プーリ４７が回転可能に設置され、前記下プーリ４７が前記駆動ベルト１５にすり合わせられ、前記下プーリチャンバ４６の右側内壁の中には長回転軸チャンバ４９が連通し合うように設置され、前記長回転軸チャンバ４９の右側内壁の中には曲がりチャンバ５１が連通し合うように設置され、前記下プーリ４７の中には長回転軸４８が固定的に連結され、前記長回転軸４８が前記曲がりチャンバ５１の中に伸びて主傘歯車５２と固定的に連結され、前記主傘歯車５２の上端には副傘歯車５３が噛み合うように連結され、前記副傘歯車５３のうち前記主傘歯車５２から離れた一端には短軸６８が固定的に連結され、前記短軸６８には四枚の羽根６９が環状に配置されるように固定的に連結され、前記曲がりチャンバ５１の上側内壁の中には連通穴６５が連通し合うように設置され、前記連通穴６５が前記作動チャンバ５０に連通し、前記作動チャンバ５０の下側内壁には除錆剤収集ブロック６６が固定的に設置され、前記除錆剤収集ブロック６６の中には除錆剤溝６７が上方に開口するように設置され、前記除錆剤溝６７の下側内壁の中には密封ブロック７３が固定的に設置され、前記密封ブロック７３の中には除錆剤案内棒７０が固定的に設置され、前記除錆剤案内棒７０の中には除錆剤案内穴７１が貫通するように設置され、前記短軸６８の上端が前記除錆剤案内穴７１の中に伸びており、前記除錆剤案内穴７１の中には薄膜７２が固定的に設置され、前記除錆剤案内棒７０の上端にはノズル７４が固定的に連結され、前記ノズル７４の中には噴出口７５が上方に開口するように設置され、前記除錆剤案内穴７１が上に前記噴出口７５に連通している。
【００１７】
有益的には、前記作動チャンバ５０の前側内壁の中には外方に開口したパネルチャンバ５８が連通し合うように設置され、前記パネルチャンバ５８の中にはパネル軸６１が回転可能に設置され、前記パネル軸６１にはパネル５９が固定的に連結され、前記パネル５９の上端が前記パネルチャンバ５８の上側内壁に当接しており、前記パネル５９のうち前記作動チャンバ５０から離れた一端には引きブロック６０が固定的に連結され、前記パネル５９と前記パネルチャンバ５８の両側内壁との間にはねじりばね７６が固定的に連結されている。
【００１８】
ピアスの錆を落とすとき、ピアス４５の一端を挟みブロック４２の間に固定し、第一固定ばね４３によってきつく挟み、同時に紙鑢３０をピアス４５に巻き付け、押しブロック５６によりピアス４５を止めてピアス４５が落ちるのを防止し、噴出口７５の中に除錆剤を入れた後作動チャンバ５０を閉め、押しブロック３４を押して上紙鑢輪２７と下紙鑢輪２９とを連結軸２４に連結し、モータ１２を起動することで、主プーリ１４と副プーリ６４によって主扇形歯車２１と副扇形歯車６２を連動させて同じ方向に回転させ、更に平歯車２２を周期的に正反方向交替に回転連動させ、そして上紙鑢輪２７と下紙鑢輪２９を周期的に正反方向交替に回転連動させ、さらにピアス４５の表面を紙鑢３０で摩擦すると同時に、駆動ベルト１５によって中間プーリ１６を回転連動させ、それにより噛合軸３７と噛合ブロック３８とによってピアス４５を回転連動させ、ピアス４５の表面と紙鑢３０とを充分に摩擦すると同時に、駆動ベルト１５によって下プーリ４７を回転連動させ、それにより長回転軸４８により歯車伝動を駆動して短軸６８を回転連動させ、更に羽根６９により除錆剤をピアス４５に吹いて洗浄や錆落としを行い、錆落としが終わった後モータ１２の回転を止め、引きブロック６０を引いて作動チャンバ５０を開き、噛合ブロック３８を押してピアス４５を連動させて紙鑢３０から離れさせると、押しブロック５６が第二固定ばね５５の弾力の作用によって紙鑢３０に連結され、この時ピアス４５を取り外せ、押しブロック３４を引き動かして上紙鑢輪２７と下紙鑢輪２９とを連結軸２４から離れさせ、押しブロック３４を回転させ、上紙鑢輪２７を回転連動させて紙鑢３０の使った部分を下紙鑢輪２９に巻く。
【００１９】
有益効果：ピアスの錆を落とす時、ピアスを固定してから除錆剤を入れ、装置を起動した後除錆剤をピアスの表面に吹いて紙鑢によりピアスを摩擦して錆を落とせる。本発明の装置は何度でもピアスの錆を除けるだけではなく、紙鑢の取替えも要らない。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。